(57)【要約】      （修正有）【課題】冷蔵室の庫内温度が上昇した際に効率的に冷蔵室及び冷凍室を冷却することができ、冷却時間を短縮することができる冷蔵庫を提供する。【解決手段】制御部が冷蔵用冷却器側へ冷媒を流し冷蔵室を冷却する冷蔵モードと冷凍用冷却器側へ冷媒を流し冷凍室を冷却する冷凍モードとを切り換えて行う冷蔵庫において、特定条件が満たされると、圧縮機を最高圧縮能力で運転させる強制冷却運転を実行し、強制冷却運転時において、冷蔵モードを最大限実行する時間が、冷凍モードを最大限実行する時間より長く設定され、かつ、冷凍モードから冷蔵モードに切り換える冷凍室の庫内温度を通常運転時に比べて高く設定する冷蔵庫。【選択図】図６
2011080696.tif 000002
【特許請求の範囲】
【請求項１】
能力可変式の圧縮機と、凝縮器と、冷蔵室を冷却する冷蔵用冷却器と、冷凍室を冷却する冷凍用冷却器と、前記冷蔵用冷却器及び前記冷凍用冷却器に冷媒を切り換えて流す切替弁と、前記切替弁の動作を制御する制御部とを備え、
前記制御部が前記切替弁を動作させて前記冷蔵用冷却器側へ冷媒を流す冷蔵モードと前記冷凍用冷却器側へ冷媒を流す冷凍モードとを切り換えて行う冷蔵庫において、
前記冷蔵室の庫内温度を検出する冷蔵室温度センサと、前記冷凍室の庫内温度を検出する冷凍室温度センサとを備え、
前記冷凍モード実行中において、前記冷凍モードの実行時間が第１所定時間以上に達した後であって、前記冷凍室の庫内温度が冷凍室目標温度より所定温度だけ低い温度に設定された冷凍室下限温度以下に達したとき、又は、前記冷蔵室の庫内温度が冷蔵室目標温度より所定温度だけ高い温度に設定された冷蔵室上限温度以上に達したときに前記冷凍モードから前記冷蔵モードに切り換え、
前記冷蔵モード実行中において、前記冷蔵モードの実行時間が第２所定時間以上に達した後であって、前記冷蔵室の庫内温度が冷蔵室目標温度より所定温度だけ低い温度に設定された冷蔵室下限温度以下に達したとき、又は、前記冷凍室の庫内温度が冷凍室目標温度より所定温度だけ高い温度に設定された冷凍室上限温度以上に達したときに前記冷蔵モードから前記冷凍モードに切り換え、
特定条件が満たされると、前記圧縮機を最高圧縮能力で運転させる強制冷却運転を実行し、
前記強制冷却運転時において、前記第２所定時間を前記第１所定時間より長く設定し、かつ、前記強制冷却運転以外の通常運転時に比べて前記冷凍室目標温度を高く設定することを特徴とする冷蔵庫。
【請求項２】
前記特定条件が、所定時間継続して前記冷蔵室の庫内温度が所定温度以上になることを特徴とする請求項１に記載の冷蔵庫。
【請求項３】
前記冷蔵室の庫内温度が所定温度以下に達すると前記強制冷却運転を終了することを特徴とする請求項１または２に記載の冷蔵庫。
【発明の詳細な説明】
【技術分野】
【０００１】
本発明は、冷蔵室を冷却する冷蔵用冷却器と冷凍室を冷却する冷凍用冷却器とを備えた冷蔵庫に関する。
【背景技術】
【０００２】
従来より、冷蔵室を冷却する冷蔵用冷却器と冷凍室を冷却する冷凍用冷却器とを設け、切替弁のより圧縮機から吐出された冷媒の流路を切り替えることで、冷蔵用冷却器に冷媒を供給し冷蔵室を冷却する冷蔵モードと、冷凍用冷却器に冷媒を供給し冷凍室を冷却する冷凍モードとを切り換えて行うとともに、圧縮機の周波数を可変して各貯蔵室の温度帯に適した蒸発温度に制御する冷蔵庫が提案されている（例えば、下記特許文献１参照）。
【先行技術文献】
【特許文献】
【０００３】
【特許文献１】特開平１１−３０４３２９号公報
【発明の概要】
【発明が解決しようとする課題】
【０００４】
上記のような冷蔵庫では、好適な温度にそれぞれの冷却器を冷却して冷蔵室及び冷凍室を冷却することができるため高い冷凍サイクル効率が得られるが、運転時間や庫内温度に基づいて冷蔵モードと冷凍モードとを切り換える場合、冷蔵室の庫内温度が上昇すると冷蔵室が十分に冷却されていないにも関わらず、冷蔵モードの運転時間が所定時間に到達すると冷凍モードに切り換わって冷蔵室の冷却に時間がかかるおそれがあり問題である。
【０００５】
本発明は、上記問題を考慮してなされたものであり、冷蔵室の庫内温度の上昇に対して冷凍モード及び冷凍モードの切り換えのタイミングを好適化することにより、冷蔵室及び冷凍室の冷却時間の短縮を図ることができる冷蔵庫を提供することを目的とする。
【課題を解決するための手段】
【０００６】
本発明に係る冷蔵庫は、能力可変式の圧縮機と、凝縮器と、冷蔵室を冷却する冷蔵用冷却器と、冷凍室を冷却する冷凍用冷却器と、前記冷蔵用冷却器及び前記冷凍用冷却器に冷媒を切り換えて流す切替弁と、前記切替弁の動作を制御する制御部とを備え、前記制御部が前記切替弁を動作させて前記冷蔵用冷却器側へ冷媒を流す冷蔵モードと前記冷凍用冷却器側へ冷媒を流す冷凍モードとを切り換えて行う冷蔵庫において、前記冷蔵室の庫内温度を検出する冷蔵室温度センサと、前記冷凍室の庫内温度を検出する冷凍室温度センサとを備え、前記冷凍モード実行中において、前記冷凍モードの実行時間が第１所定時間以上に達した後であって、前記冷凍室の庫内温度が冷凍室目標温度より所定温度だけ低い温度に設定された冷凍室下限温度以下に達したとき、又は、前記冷蔵室の庫内温度が冷蔵室目標温度より所定温度だけ高い温度に設定された冷蔵室上限温度以上に達したときに前記冷凍モードから前記冷蔵モードに切り換え、前記冷蔵モード実行中において、前記冷蔵モードの実行時間が第２所定時間以上に達した後であって、前記冷蔵室の庫内温度が冷蔵室目標温度より所定温度だけ低い温度に設定された冷蔵室下限温度以下に達したとき、又は、前記冷凍室の庫内温度が冷凍室目標温度より所定温度だけ高い温度に設定された冷凍室上限温度以上に達したときに前記冷蔵モードから前記冷凍モードに切り換え、特定条件が満たされると、前記圧縮機を最高圧縮能力で運転させる強制冷却運転を実行し、前記強制冷却運転時において、前記第２所定時間を前記第１所定時間より長く設定し、かつ、前記強制冷却運転以外の通常運転時に比べて前記冷凍室目標温度を高く設定することを特徴とする。
【発明の効果】
【０００７】
本発明の冷蔵庫では、上記構成により、冷蔵室の庫内温度が上昇した際に効率的に冷蔵室及び冷凍室を冷却することができ、冷却時間を短縮することができる。
【図面の簡単な説明】
【０００８】
【図１】本発明の第１実施形態に係る冷蔵庫の断面図である。
【図２】図１に示す冷蔵庫の冷凍サイクルを示す図である。
【図３】図１に示す冷蔵庫の電気構成を示すブロック図である。
【図４】制御部が行う制御を示すフローチャートである。
【図５】制御部が行う制御を示すフローチャートである。
【図６】制御部が行う制御を示すタイムチャートである。
【図７】制御部が行う制御を示すフローチャートである。
【発明を実施するための形態】
【０００９】
以下、本発明の一実施形態について、図面を参照して説明する。
【００１０】
本実施形態に係る冷蔵庫１０は、図１に示すように、外郭を形成する外箱と貯蔵空間を形成する内箱との間に発泡断熱材を充填した断熱箱体からなる冷蔵庫本体１１を備え、貯蔵空間を断熱仕切壁１２によって上方の冷蔵空間２０と下方の冷凍空間４０とに区画している。
【００１１】
冷蔵空間２０は、さらに仕切壁２１によって上下に区画され、上部空間に複数段の載置棚を設けた冷蔵室２２が設けられ、下部空間に引き出し式の収納容器２５ａを配置する野菜室２４が設けられている。
【００１２】
野菜室２４の下方に配置した冷凍空間４０には、比較的小容積の自動製氷機を備えた製氷室２６と小型冷凍室（不図示）を左右に併設しており、その下方には冷凍室２８が設けられている。
【００１３】
冷蔵室２２の開口部は、冷蔵庫本体１１の一側部の上下に設けられたヒンジにより回動自在に枢支された冷蔵室扉２３により閉塞されている。この冷蔵室扉２３は扉センサ３１によって該扉２３の開閉が検知される。
【００１４】
野菜室２４、製氷室２６、小型冷凍室及び冷凍室２８の開口部は、引き出し式扉２５，２７，２９により閉塞されている。各引き出し式扉２５，２７，２９の裏面側に固着した左右一対の支持枠に収納容器２５ａ，２７ａ，２９ａが保持されており、開扉動作とともに庫外に引き出されるように構成されている。
【００１５】
冷蔵空間２０及び冷凍空間４０のそれぞれの背面には、冷蔵用冷却器５２及び冷凍用冷却器５３と送風ファン５４、５５がそれぞれ配設されている。冷蔵用冷却器５２で生成された冷気は、送風ファン５４の回転駆動によってダクト３２を介して冷蔵室２２及び野菜室２４に導入されることで、冷蔵空間２０を所定温度に冷却し、冷凍用冷却器５３で生成された冷気は、送風ファン５５の回転駆動によって吹出口４２より製氷室２６、小型冷凍室及び冷凍室２８に導入されることで、冷凍空間４０を所定温度に冷却する。そして、冷蔵空間２０及び冷凍空間４０を冷却し終えた冷気は、再び冷却器５２，５３に戻され冷却される。
【００１６】
冷蔵室２２の背面には、冷蔵室２２の庫内温度ＴＲを測定するための冷蔵室温度センサ３４が設けられ、冷凍室２８の背面には、冷凍室２８の庫内温度ＴＦを測定するための冷凍室温度センサ３６が設けられている。また、冷凍用冷却器５３の上方には、冷凍用冷却器５３の温度を検知し、除霜の終了タイミングを検知するための除霜センサ５１が設けられ、冷凍用冷却器５３には、例えば、パイプヒータよりなる除霜ヒータ４３が設けられている（図２参照）。
【００１７】
冷蔵用冷却器５２及び冷凍用冷却器５３は、インバータによる周波数変換などで能力可変式の圧縮機５６から吐出される冷媒を、冷凍サイクル５０により交互に導いて冷却される。
【００１８】
すなわち、冷凍サイクル５０は、図２に示すように、圧縮機５６の吐出側にマフラ４４及び蒸発パイプ４５を介して凝縮器５８が接続され、凝縮器５８には放熱パイプ４６、グリーンパイプ４７及びドライヤ４８を介して三方弁６０が接続されている。三方弁６０から二股に分かれた冷媒流路の一方には冷蔵キャピラリチューブ６２及び冷蔵用冷却器５２からなる冷蔵側回路が接続され、他方の冷媒流路には冷凍キャピラリチューブ６４、冷凍用冷却器５３、アキュムレータ４９及び逆止弁４１とからなる冷凍側回路が接続されている。
【００１９】
三方弁６０は、凝縮器５８により放熱液化された冷媒を冷蔵側回路及び冷凍側回路へ切り替えて分流し、また、冷蔵側回路及び冷凍側回路への該冷媒供給を遮断する。冷蔵側回路及び冷凍側回路は、圧縮機５６の吸込側に接続されており、各冷却器５２，５３を流れた冷媒が再び圧縮機５６に取り込まれることで、冷媒は冷凍サイクル５０内を循環する。
【００２０】
冷蔵庫本体１１の背面下部には、冷凍サイクル５０の一部を構成する圧縮機５６及び凝縮器５８を収納する機械室５７が配設されており、機械室５７の背面に制御部６６が設けられている。
【００２１】
制御部６６は、図３に示すように、冷蔵室温度センサ３４、冷凍室温度センサ３６、除霜センサ５１、扉センサ３１などの各種センサから入力される信号や、ＥＥＰＲＯＭなどの不揮発性記録媒体からなるメモリ５９に記憶された制御プログラムに基づいて、除霜ヒータ４３、送風ファン５４、５５、圧縮機５６、三方弁６０などの各種電気部品を制御する。
【００２２】
このような冷蔵庫１０の冷凍サイクル５０では、制御部６６が三方弁６０を制御することで、冷蔵用冷却器５２を有する冷蔵側回路へ冷媒を流す冷蔵モードと、冷凍用冷却器５３を有する冷凍側回路へ冷媒を流す冷凍モードとを切り替えて運転する。
【００２３】
冷蔵室２２及び野菜室２４からなる冷蔵空間２０を冷却する場合には、制御部６６が、三方弁６０を切り替えて冷蔵用冷却器５２に冷媒が流れるようにするとともに、送風ファン５４を運転させる冷蔵モードを実行する。これにより、冷蔵用冷却器５２で冷却された空気は、送風ファン５４によって冷蔵室２２及び野菜室２４に送風され、各室２２，２４内を冷却する。
【００２４】
一方、冷凍室２８等の冷凍空間４０を冷却したい場合には、制御部６６が、三方弁６０を切り替えて冷媒が冷凍用冷却器５３に流れるようにするとともに、送風ファン５５を運転させる冷凍モードを実行する。これにより、冷凍用冷却器５３で冷却された空気は送風ファン５５によって冷凍空間４０内部に送風され、冷凍空間４０内が冷却される。
【００２５】
そして、冷蔵室温度センサ３４及び冷凍室温度センサ３６によって検出された庫内温度ＴＦ、ＴＲに基づいて、制御部６６が三方弁６０を制御することで、冷蔵モードと冷凍モードの切り換えを行う。
【００２６】
具体的には、図４に示すように、制御部６６が作動すると、まず、ステップＳ１において制御部６６が三方弁６０を駆動させて冷凍モードの実行を開始し、ステップＳ２に進む。
【００２７】
次いで、ステップＳ２において、制御部６６は、冷凍モードを開始した時点からの経過時間が第１所定時間Ｔ１（例えば、Ｔ１＝３０分）以上であるか否か判断し、第１所定時間Ｔ１以上であればステップＳ３に進み、第１所定時間Ｔ１未満であればステップＳ２を繰り返す。
【００２８】
ステップＳ３では、冷蔵室温度センサ３４による冷蔵室２２の庫内温度ＴＲが冷蔵室上限温度ＴＲｏｎより大きいか否か判断する。庫内温度ＴＲが冷蔵室目標温度ＴＲａ（例えば、ＴＲａ＝１℃）より所定温度だけ高い温度に設定された冷蔵室上限温度ＴＲｏｎ（例えば、ＴＲｏｎ＝２℃）より大きければ冷蔵モードを実行して冷蔵空間２０内を冷却するためにステップＳ８に進み、庫内温度ＴＲが冷蔵室上限温度ＴＲｏｎ以下であれば、ステップＳ４に進む。
【００２９】
ステップＳ４では、制御部６６は、冷凍モードを開始した時点からの経過時間が第３所定時間Ｔ３（Ｔ３＞Ｔ１であり、例えば６０分）以上であるか否か判断し、第３所定時間Ｔ３以上であれば冷凍空間４０が十分に冷却されていると判断し、冷凍モードを終了するためにステップＳ８に進み、第３所定時間Ｔ３未満であればステップＳ５に進む。
【００３０】
ステップＳ５では、冷凍室温度センサ３６による冷凍室２８の庫内温度ＴＦが冷凍室目標温度ＴＦａ（例えば、ＴＦａ＝−２０℃）より所定温度だけ低い温度に設定された冷凍室下限温度ＴＦｏｆｆ（例えば、ＴＦｏｆｆ＝−２２℃）より小さいか否か判断する。庫内温度ＴＦが冷凍室下限温度ＴＦｏｆｆより小さければ、冷凍空間４０が十分に冷却されているとしてステップＳ６に進み、庫内温度ＴＦが冷凍室下限温度ＴＦｏｆｆ以上であれば、ステップＳ７に進む。
【００３１】
ステップＳ６では、冷蔵室温度センサ３４による冷蔵室２２の庫内温度ＴＲが冷蔵室目標温度ＴＲａより所定温度だけ低い温度に設定された冷蔵室下限温度ＴＲｏｆｆ（例えば、ＴＲｏｆｆ＝０℃）より小さいか否か判断する。庫内温度ＴＲが冷蔵室下限温度ＴＲｏｆｆより小さければ、冷凍空間４０だけでなく冷蔵空間２０も十分に冷却されており、冷蔵空間２０及び冷凍空間４０のいずれも冷却する必要が無く、圧縮機５６を停止させるためにステップＳ９に進み、庫内温度ＴＲが冷蔵室下限温度ＴＲｏｆｆ以上であれば、冷凍モードを終了するためにステップＳ８に進む。
【００３２】
ステップＳ７では、冷凍室２８の庫内温度ＴＦの上下動に対してＰＩＤ計算を行い、その計算値Ｐ１が所定値Ａ１より小さければステップＳ９に進み、計算値Ｐ１が所定値Ａ１以上であればステップＳ３に戻る。
【００３３】
ステップＳ８において、制御部６６は、冷蔵モードの実行を開始するため、冷凍モードを終了し、その後、ステップＳ２１に進む（図５参照）。
【００３４】
ステップＳ９では、圧縮機５６の周波数をメモリ５９に記憶させた後、ステップＳ１０において圧縮機５６を停止させる。
【００３５】
本実施形態では、（ａ）冷凍モードの開始時から第１所定時間Ｔ１以上経過しており、かつ、（ｂ）冷蔵室２２の庫内温度ＴＲが冷蔵室上限温度ＴＲｏｎより大きい場合、（ｃ）冷凍モードの開始時から第３所定時間Ｔ３以上経過している場合、（ｄ）冷凍室２８の庫内温度ＴＦが冷凍室下限温度ＴＦｏｆｆより小さいと共に、冷蔵室２２の庫内温度ＴＲが冷蔵室下限温度ＴＲｏｆｆ以上の場合のうち、（ｂ）〜（ｄ）のいずれか１の条件を満たすと、制御部６６は、三方弁６０を駆動させて冷凍モードを終了させ、ステップＳ２１に進んで冷蔵モードを開始する。
【００３６】
また、冷凍モード実行中において、冷凍室２８の庫内温度ＴＦが冷凍室下限温度ＴＦｏｆｆより小さいと共に（ステップＳ５）、冷蔵室２２の庫内温度ＴＲが冷蔵室下限温度ＴＲｏｆｆより小さい場合（ステップＳ６）、あるいは、冷凍室２８の庫内温度ＴＦが冷凍室下限温度ＴＦｏｆｆ以上であると共に（ステップＳ５）、冷凍室２８の庫内温度ＴＦの上下動に対するＰＩＤ計算値Ｐ１が所定値Ａ１より小さい場合（ステップＳ７）、冷蔵空間２０及び冷凍空間４０のいずれの空間も十分に冷却されているとして、圧縮機５６の周波数をメモリ５９に記憶させた後（ステップＳ９）、圧縮機５６を停止させる（ステップＳ１０）。
【００３７】
ステップＳ２１では、図５に示すように、制御部６６が三方弁６０を駆動させて冷蔵モードの実行を開始する。そして、ステップＳ２２において、制御部６６は、冷蔵モードを開始した時点からの経過時間が第２所定時間Ｔ２（例えば、Ｔ２＝２０分）以上であるか否か判断し、第２所定時間Ｔ２以上であればステップＳ２３に進み、第２所定時間Ｔ２未満であればステップＳ２２を繰り返す。
【００３８】
ステップＳ２３では、冷凍室温度センサ３６による冷凍室２８の庫内温度ＴＦが冷凍室目標温度ＴＦａより所定温度だけ高い温度に設定された冷凍室上限温度ＴＦｏｎ（例えば、ＴＦｏｎ＝−１８℃）より大きいか否か判断する。庫内温度ＴＦが冷凍室上限温度ＴＦｏｎより大きければ冷凍モードを実行して冷凍空間４０内を冷却するためにステップＳ２８に進み、庫内温度ＴＦが冷凍室上限温度ＴＦｏｎ以下であれば、ステップＳ２４に進む。
【００３９】
ステップＳ２４では、制御部６６は、冷蔵モードを開始した時点からの経過時間が第４所定時間Ｔ４（Ｔ４＞Ｔ２であり、例えば、４０分）以上であるか否か判断し、第４所定時間Ｔ４以上であれば冷蔵モードを終了するためにステップＳ２８に進み、第４所定時間Ｔ４未満であればステップＳ２５に進む。
【００４０】
ステップＳ２５では、冷蔵室温度センサ３４による冷蔵室２２の庫内温度ＴＲが冷蔵室下限温度ＴＲｏｆｆより小さいか否か判断する。庫内温度ＴＲが冷蔵室下限温度ＴＲｏｆｆより小さければ、冷蔵空間２０が十分に冷却されているとしてステップＳ２６に進み、庫内温度ＴＲが冷凍室下限温度ＴＲｏｆｆ以上であれば、ステップＳ２７に進む。
【００４１】
ステップＳ２６では、冷凍室温度センサ３６による冷凍室２８の庫内温度ＴＦが冷凍室下限温度ＴＦｏｆｆより小さいか否か判断する。庫内温度ＴＦが冷凍室下限温度ＴＦｏｆｆより小さければ、冷蔵空間２０だけでなく冷凍空間４０も十分に冷却されており、冷蔵空間２０及び冷凍空間４０のいずれも冷却する必要が無く、圧縮機５６を停止させるためにステップＳ２９に進み、庫内温度ＴＦが冷凍室下限温度ＴＦｏｆｆ以上であれば、冷蔵モードを終了するためにステップＳ２８に進む。
【００４２】
ステップＳ２７では、冷蔵室２２の庫内温度ＴＲの上下動に対してＰＩＤ計算を行い、その計算値Ｐ２が所定値Ａ２より小さければステップＳ２９に進み、計算値Ｐ２が所定値Ａ２以上であればステップＳ２３に戻る。
【００４３】
ステップＳ２８において、制御部６６は、冷蔵モードの実行を開始するため、冷蔵モードを終了し、その後、ステップＳ１に進む（図４参照）。
【００４４】
ステップＳ２９では、圧縮機５６の周波数をメモリ５９に記憶させた後、ステップＳ３０において圧縮機５６を停止させる。
【００４５】
本実施形態では、（ｅ）冷蔵モードの開始時から第２所定時間Ｔ２以上経過しており（ステップＳ２２）、かつ、（ｆ）冷凍室２８の庫内温度ＴＦが冷凍室上限温度ＴＦｏｎより大きい場合（ステップＳ２３）、（ｇ）冷蔵モードの開始時から第４所定時間Ｔ４以上経過している場合（ステップＳ２４）、（ｈ）冷蔵室２２の庫内温度ＴＲが冷蔵室下限温度ＴＲｏｆｆより小さいと共に（ステップＳ２５）、冷凍室２８の庫内温度ＴＦが冷凍室下限温度ＴＦｏｆｆ以上の場合（ステップＳ２６）のうち、（ｆ）〜（ｈ）のいずれか１の条件を満たすと、制御部６６は、三方弁６０を駆動させて冷蔵モードを終了させ（ステップＳ２８）、ステップＳ１に進んで冷凍モードを開始する。
【００４６】
また、冷蔵モード実行中において、冷蔵室２２の庫内温度ＴＲが冷蔵室下限温度ＴＲｏｆｆより小さいと共に（ステップＳ２５）、冷凍室２８の庫内温度ＴＦが冷凍室下限温度ＴＦｏｆｆより小さい場合（ステップＳ２６）、あるいは、冷蔵室２２の庫内温度ＴＲが冷蔵室下限温度ＴＲｏｆｆ以上であると共に（ステップＳ２５）、冷蔵室２２の庫内温度ＴＲの上下動に対するＰＩＤ計算値Ｐ２が所定値Ａ２より小さい場合（ステップＳ２８）、冷蔵空間２０及び冷凍空間４０のいずれの空間も十分に冷却されているとして、圧縮機５６の周波数をメモリ５９に記憶させた後（ステップＳ２９）、圧縮機５６を停止させる（ステップＳ３０）。
【００４７】
さらにまた、上記のような冷凍モードと冷蔵モードの切り換え制御に加えて、特定条件が満たされると、制御部６６は、圧縮機５６を最高圧縮能力で運転させ、急速に冷蔵空間２０を冷却する強制冷却運転を実行する。
【００４８】
具体的には、冷凍モードと冷蔵モードとを切り換えて冷凍サイクル５０を制御している際に（図６の区間（１）参照）、図７に示すステップＳ４１において冷蔵室温度センサ３４による冷蔵室２２の庫内温度ＴＲが所定温度Ｔｈ（例えば、１２℃）以上であるか否か判断する。冷蔵室２２の庫内温度ＴＲが所定温度Ｔｈ以上であればステップＳ４２に進み、冷蔵室２２の庫内温度ＴＲが所定温度Ｔｈ未満であれば強制冷却運転を行わずに処理を終了する。
【００４９】
ステップＳ４２では、冷蔵室温度センサ３４が所定温度Ｔｈ以上を検出した時点から第５所定時間Ｔ５（例えば１０分）経過していればステップＳ４３に進み（図６の区間（２）参照）、第５所定時間Ｔ５経過していなければステップＳ４１に戻る。つまり、冷蔵室２２の庫内温度ＴＲが、第５所定時間Ｔ５継続して所定温度Ｔｈ以上になるとステップＳ４３に進み強制冷却運転を実行し、第５所定時間Ｔ５経過する前に所定温度Ｔｈ未満になると強制冷却運転を行わずに処理を終了する。
【００５０】
ステップＳ４３では、強制冷却運転が実行される前の通常運転時の第２所定時間Ｔ２より長い時間に強制運転時の第２所定時間Ｔ２’を変更することで、強制運転時における第２所定時間Ｔ２’を第１所定時間Ｔ１より長く設定し、かつ、通常運転時の冷凍室目標温度ＴＦａに比べて高い温度に強制冷却運転時の冷凍室目標温度ＴＦａ’を設定した後、冷凍サイクル５０の運転状態に関わらず冷蔵モードを実行する。（図６の区間（３）参照）。
【００５１】
ここで、一例を挙げると、第２所定時間を通常運転時のＴ２＝２０分間から強制冷却運転時のＴ２’＝４０分間に変更することで、強制運転時において第２所定時間Ｔ２’を第１所定時間Ｔ１（Ｔ１＝３０分間）より長く設定する。更にまた、冷凍室目標温度を通常運転時のＴＦａ＝−２０℃から強制冷却運転時のＴＦａ’＝−１８℃に変更することで、冷凍室下限温度が通常運転時のＴＦｏｆｆ＝−２２℃から強制冷却運転時のＴＦｏｆｆ’＝−２０℃に変更されるとともに、冷凍室上限温度が通常運転時のＴＦｏｎ＝−１８℃から強制冷却運転時のＴＦｏｎ’＝−１６℃に変更される。
【００５２】
そして、強制冷却運転中は、上記ステップＳ４３において設定値を変更した第２所定時間Ｔ２’、冷凍室下限温度ＴＦｏｆｆ’、及び冷凍室上限温度ＴＦｏｎ’を採用して、図５及び図４に示すステップＳ２１〜ステップＳ３０及びステップＳ１〜ステップＳ１０に従って、冷蔵モード及び冷凍モードを切り換えて実行する。
【００５３】
上記のように強制冷却運転時において第２所定時間Ｔ２’を第１所定時間Ｔ１より長く設定することで、冷蔵モードを開始してから冷蔵モードを終了させるか否かの判断を行うまでの時間が、冷凍モードを開始してから冷凍モードを終了させるか否かの判断を行うまでの時間より長くなる。そのため、強制冷却運転時では、冷蔵モードを連続して実行可能な時間が、冷凍モードを連続して実行可能な時間より長くなり、冷凍空間４０より冷蔵空間２０を優先的に冷却することができる。
【００５４】
また、強制冷却運転時の冷凍室下限温度ＴＦｏｆｆ’が通常運転時の冷凍室下限温度ＴＦｏｆｆより高く設定されているため、強制冷却運転時では、通常運転時より冷凍室２８の庫内温度ＴＦが冷凍室下限温度未満に到達して冷凍モードから冷蔵モードに切り換わりやすくなり、強制冷却運転では冷凍空間４０より冷蔵空間２０を優先的に冷却することができる（図６の区間（４）参照）。
【００５５】
しかも、強制冷却運転時では、冷凍室下限温度ＴＦｏｆｆ’だけでなく冷凍室上限温度ＴＦｏｎ’も通常運転時に比べて高く設定されているため、冷蔵モード実行中に冷凍室２８の庫内温度ＴＦが冷凍室上限温度ＴＦｏｎより大きくなって冷蔵モードから冷凍モードに切り換わりにくくなり、強制冷却運転では冷凍空間４０より冷蔵空間２０を優先的に冷却することができる（図６の区間（３）、（５）参照）。
【００５６】
そして、ステップＳ４４において、強制冷却運転中に冷蔵室２２の庫内温度ＴＲが所定温度Ｔｉ（例えばＴｉ＝２℃）未満に到達したか否か判断し、冷蔵室２２の庫内温度ＴＲが所定温度Ｔｉ未満であればステップＳ４５に進み、所定温度Ｔｉ以上であればこのステップを繰り返す。
【００５７】
ステップＳ４５では、急速に冷蔵空間２０を冷却する必要が無くなったとして、圧縮機５６を所定の周波数で運転させると共に、第２所定時間Ｔ２’及び冷凍室目標温度ＴＦａ’を通常運転時の第２所定時間Ｔ２及び冷凍室目標温度ＴＦａに変更することで、冷凍室下限温度ＴＦｏｆｆ’、及び冷凍室上限温度ＴＦｏｎ’を通常運転時の冷凍室下限温度ＴＦｏｆｆ、及び冷凍室上限温度ＴＦｏｎに変更し強制冷却運転を終了する（図６の区間（５）参照）。
【００５８】
そして、強制冷却運転が終了すると、通常運転に戻り、通常運転時の第２所定時間Ｔ２及び冷凍室下限温度ＴＦｏｆｆを採用して図４及び図５に示すステップＳ１〜ステップＳ１０及びステップＳ２１〜ステップＳ３０に従って、冷凍モード及び冷蔵モードを切り換えて実行する（図６の区間（６）参照）。
【００５９】
以上のように、本実施形態では、冷蔵室２２の庫内温度ＴＲが大幅に上昇した場合に、第２所定時間Ｔ２及び冷凍室目標温度ＴＦｏｆｆの設定値を変更するといった簡単な構成によって、冷凍空間４０より冷蔵空間２０の冷却を優先させて冷蔵モードと冷凍モードとの運転比率を好適化することができ、冷蔵空間２０の庫内温度上昇時の温度復帰を効率的に行うことができる。
【００６０】
また、本実施形態では、強制冷却運転時であっても冷凍室２８の庫内温度ＴＦに応じて冷蔵モード及び冷凍モードの切換制御を行うため、冷凍空間４０の貯蔵物に悪影響を及ぼさない温度範囲内で冷凍空間４０の庫内温度ＴＦを制御しつつ、冷蔵モードの運転比率を高めることができ、冷蔵空間２０の庫内温度上昇時の温度復帰を効率的に行うことができる。
【００６１】
さらにまた、強制冷却運転中に冷蔵室２２の庫内温度ＴＲが所定温度Ｔｉ未満に到達すると強制冷却運転を終了し通常運転に戻るため、冷蔵空間２０がある程度冷却されると冷蔵空間２０を優先的に冷却するのを中止して、冷蔵空間２０の過剰冷却を防止することができ、冷却効率を低下させることがない。
【００６２】
なお、上記した本実施形態では、強制冷却運転中に冷蔵室２２の庫内温度ＴＲが所定温度Ｔｉ未満に到達すると強制冷却運転を終了し通常運転に戻るように設定したが、例えば、冷蔵モードと冷凍モードとを所定サイクル実行した後に強制冷却運転を終了するように設定しても良い。
【符号の説明】
【００６３】
１０…冷蔵庫            ２０…冷蔵空間          ２２…冷蔵室
２４…野菜室            ２６…製氷室            ２８…冷凍室
３４…冷蔵室温度センサ  ３６…冷凍室温度センサ  ４０…冷凍空間
５０…冷凍サイクル      ５２…冷蔵用冷却器      ５３…冷凍用冷却器
５６…圧縮機            ５７…機械室            ５８…凝縮器
６０…三方弁            ６６…制御部
【図１】
2011080696.tif 000003
【図２】
2011080696.tif 000004
【図３】
2011080696.tif 000005
【図４】
2011080696.tif 000006
【図５】
2011080696.tif 000007
【図６】
2011080696.tif 000008
【図７】
2011080696.tif 000009